(57)【要約】  一つの実施形態に係る通信装置は、ＭＤＴ機能が適用される移動通信システムにおいて他の通信装置との無線通信を行う。前記通信装置は、前記無線通信におけるパラメータの測定により得られるＭＤＴ測定結果を取得する制御部を備える。前記パラメータは、レイテンシ低減機能の影響を受けるパラメータである。前記制御部は、前記無線通信に前記レイテンシ低減機能が適用されているか否かに応じて、前記レイテンシ低減機能の適用有無に関する識別情報を前記ＭＤＴ測定結果に付加する。
2016167211.tif 000002
【特許請求の範囲】
【請求項１】
ＭＤＴ機能が適用される移動通信システムにおいて他の通信装置との無線通信を行う制御部を備え、
前記制御部は、前記無線通信におけるパラメータの測定により得られるＭＤＴ測定結果を取得し、
前記パラメータは、レイテンシ低減機能の影響を受けるパラメータであり、
前記制御部は、前記無線通信に前記レイテンシ低減機能が適用されているか否かに応じて、前記レイテンシ低減機能の適用有無に関する識別情報を前記ＭＤＴ測定結果に付加することを特徴とする通信装置。
【請求項２】
前記パラメータは、前記無線通信におけるＱｏＳパラメータであり、
前記ＭＤＴ測定結果は、ＱｏＳ測定結果であることを特徴とする請求項１に記載の通信装置。
【請求項３】
前記ＱｏＳパラメータは、レイテンシを含むことを特徴とする請求項２に記載の通信装置。
【請求項４】
前記他の通信装置は、ユーザ端末であり、
前記通信装置は、基地局であり、
前記ＭＤＴ測定結果は、前記基地局が前記測定を行うことにより得られ、
前記制御部は、前記識別情報が付加された前記ＭＤＴ測定結果をコアネットワークに送信することを特徴とする請求項１に記載の通信装置。
【請求項５】
前記他の通信装置は、基地局であり、
前記通信装置は、ユーザ端末であり、
前記ＭＤＴ測定結果は、前記ユーザ端末が前記測定を行うことにより得られ、
前記制御部は、前記識別情報が付加された前記ＭＤＴ測定結果を前記基地局に送信することを特徴とする請求項１に記載の通信装置。
【請求項６】
ＭＤＴ機能が適用される移動通信システムにおいて他の通信装置との無線通信を行う制御部を備え、
前記制御部は、前記無線通信にレイテンシ低減機能が適用されているか否かに応じて、前記無線通信におけるパラメータの測定により得られるＭＤＴ測定結果を取得するための処理を行うか否かを判断し、
前記パラメータは、前記レイテンシ低減機能の影響を受けるパラメータであることを特徴とする通信装置。
【請求項７】
前記制御部は、前記レイテンシ低減機能が適用されているユーザ端末又はベアラについて、前記処理を行わないと判断することを特徴とする請求項６に記載の通信装置。
【請求項８】
前記パラメータは、前記無線通信におけるＱｏＳパラメータであり、
前記ＭＤＴ測定結果は、ＱｏＳ測定結果であることを特徴とする請求項６に記載の通信装置。
【請求項９】
前記ＱｏＳパラメータは、レイテンシを含むことを特徴とする請求項６に記載の通信装置。
【発明の詳細な説明】
【技術分野】
【０００１】
本発明は、移動通信システムにおける通信装置に関する。
【背景技術】
【０００２】
移動通信システムの標準化プロジェクトである（Ｔｈｉｒｄ  Ｇｅｎｅｒａｔｉｏｎ  Ｐａｒｔｎｅｒｓｈｉｐ  Ｐｒｏｊｅｃｔ）において、ＭＤＴ（Ｍｉｎｉｍｉｚａｔｉｏｎ  ｏｆ  Ｄｒｉｖｅ  Ｔｅｓｔｓ）機能が仕様化されている。【０００３】
ＭＤＴ機能は、人手を介さずに、無線通信におけるパラメータを通信装置が自律的に測定及び収集し、収集したＭＤＴ測定結果をネットワーク最適化に使用する機能である。【０００４】
一方で、３ＧＰＰにおいて、レイテンシ低減機能の導入が検討されている。無線通信におけるレイテンシを低減する機能である。【０００５】
このようなレイテンシ低減機能を実現するための技術として、高速上りリンクアクセス技術及びＴＴＩ（Ｔｒａｎｓｍｉｓｓｉｏｎ  Ｔｉｍｅ  Ｉｎｔｅｒｖａｌ）短縮技術等が挙げられる。
【発明の概要】
【０００６】
一つの実施形態に係る通信装置は、ＭＤＴ機能が適用される移動通信システムにおいて他の通信装置との無線通信を行う制御部を備える。前記制御部は、前記無線通信におけるパラメータの測定により得られるＭＤＴ測定結果を取得する。前記パラメータは、レイテンシ低減機能の影響を受けるパラメータである。前記制御部は、前記無線通信に前記レイテンシ低減機能が適用されているか否かに応じて、前記レイテンシ低減機能の適用有無に関する識別情報を前記ＭＤＴ測定結果に付加する。
【０００７】
一つの実施形態に係る通信装置は、ＭＤＴ機能が適用される移動通信システムにおいて他の通信装置との無線通信を行う制御部を備える。前記制御部は、前記無線通信にレイテンシ低減機能が適用されているか否かに応じて、前記無線通信におけるパラメータの測定により得られるＭＤＴ測定結果を取得するための処理を行うか否かを判断する。前記パラメータは、前記レイテンシ低減機能の影響を受けるパラメータである。
【図面の簡単な説明】
【０００８】
【図１】ＬＴＥシステムの構成を示す図である。
【図２】ＬＴＥシステムにおける無線インターフェイスのプロトコルスタック図である。
【図３】ＬＴＥシステムで使用される無線フレームの構成図である。
【図４】ＵＥ（ユーザ端末）のブロック図である。
【図５】ｅＮＢ（基地局）のブロック図である。
【図６】実施形態に係るＭＤＴ機能を説明するためのシーケンス図である。
【図７】第１実施形態に係る動作の一例を示すフロー図である。
【図８】第２実施形態に係る動作の一例を示すフロー図である。
【発明を実施するための形態】
【０００９】
［実施形態の概要］
レイテンシ低減機能が仕様化された場合、ＭＤＴ機能により得られたＭＤＴ測定結果の中には、レイテンシ低減機能が適用されたユーザ端末（又はベアラ）のＭＤＴ測定結果とレイテンシ低減機能が適用されないユーザ端末（又はベアラ）のＭＤＴ測定結果とが混在し得る。
【００１０】
このようなＭＤＴ測定結果をネットワーク最適化に使用すると、誤ったネットワーク最適化を引き起こす懸念がある。
【００１１】
以下の実施形態において、レイテンシ低減機能が仕様化された場合でもネットワーク最適化を適切に行うことを可能とする技術を開示する。
【００１２】
第１実施形態に係る通信装置は、ＭＤＴ機能が適用される移動通信システムにおいて他の通信装置との無線通信を行う制御部を備える。前記制御部は、前記無線通信におけるパラメータの測定により得られるＭＤＴ測定結果を取得する。前記パラメータは、レイテンシ低減機能の影響を受けるパラメータである。前記制御部は、前記無線通信に前記レイテンシ低減機能が適用されているか否かに応じて、前記レイテンシ低減機能の適用有無に関する識別情報を前記ＭＤＴ測定結果に付加する。
【００１３】
第２実施形態に係る通信装置は、ＭＤＴ機能が適用される移動通信システムにおいて他の通信装置との無線通信を行う制御部を備える。前記制御部は、前記無線通信にレイテンシ低減機能が適用されているか否かに応じて、前記無線通信におけるパラメータの測定により得られるＭＤＴ測定結果を取得するための処理を行うか否かを判断する。前記パラメータは、前記レイテンシ低減機能の影響を受けるパラメータである。
【００１４】
［移動通信システムの概要］
以下において、実施形態に係る移動通信システムであるＬＴＥシステムの概要について説明する。
【００１５】
（１）移動通信システムの構成
図１は、ＬＴＥシステムの構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１６】
ＵＥ１００は、ユーザ端末に相当する。ＵＥ１００は、移動型の通信装置であり、セル（サービングセル）との無線通信を行う。ＵＥ１００の構成については後述する。
【００１７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００１８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００１９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００２０】
ＬＴＥシステムは、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）４００をさらに備える。ＯＡＭ４００は、Ｅ−ＵＴＲＡＮ１０及びＥＰＣ２０の保守管理を行うネットワーク装置であり、保守管理装置に相当する。
【００２１】
（２）無線インターフェイスの構成
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２３】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００２４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２５】
ＰＤＣＰ層は、ヘッダ圧縮・伸張、及び暗号化・復号化を行う。
【００２６】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００２７】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００２８】
物理層、ＭＡＣ層、ＲＬＣ層、ＰＤＣＰ層、及びＲＲＣ層は、ＡＳ（Ａｃｃｅｓｓ  Ｓｔｒａｔｕｍ）エンティティを構成する。ＮＡＳ層は、ＮＡＳエンティティを構成する。
【００２９】
（３）無線フレームの構成
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３０】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３１】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００３２】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００３３】
（４）ユーザ端末の構成
図４は、ＵＥ１００（ユーザ端末）のブロック図である。図４に示すように、ＵＥ１００は、受信部１１０、送信部１２０、及び制御部１３０を備える。
【００３４】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００３５】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００３６】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した各種の通信プロトコル及び後述する処理を実行する。
【００３７】
ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機を備えていてもよい。ＧＮＳＳ受信機は、ＵＥ１００の地理的位置を示す詳細位置情報を取得するために使用される。
【００３８】
（５）基地局の構成
図５は、ｅＮＢ２００（基地局）のブロック図である。図５に示すように、ｅＮＢ２００は、送信部２１０、受信部２２０、制御部２３０、及びバックホール通信部２４０を備える。
【００３９】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００４０】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００４１】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、上述した各種の通信プロトコル及び後述する処理を実行する。
【００４２】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００４３】
［第１実施形態］
以下において、第１実施形態について説明する。
【００４４】
（１）ＭＤＴ機能の概要
ＭＤＴ機能は、人手を介さずに、無線通信におけるパラメータを通信装置が自律的に測定及び収集し、収集したＭＤＴ測定結果をネットワーク最適化に使用する機能である。第１実施形態において、ＱｏＳパラメータを測定する場合を想定する。
【００４５】
図６は、ＭＤＴ機能を説明するためのシーケンス図である。ＵＥ１００は、ｅＮＢ２００のセルにおいてＲＲＣコネクティッドモードであり、ｅＮＢ２００との無線通信（データ通信）を行う。
【００４６】
図６に示すように、ステップＳ１０１において、ｅＮＢ２００は、ＵＥ１００における測定を設定するための設定情報（Ｍｅａｓｕｒｅｍｅｎｔ  Ｃｏｎｆｉｇｕｒａｔｉｏｎ）をＵＥ１００に送信する。「Ｍｅａｓｕｒｅｍｅｎｔ  Ｃｏｎｆｉｇｕｒａｔｉｏｎ」は、個別ＲＲＣメッセージに含まれている。
【００４７】
「Ｍｅａｓｕｒｅｍｅｎｔ  Ｃｏｎｆｉｇｕｒａｔｉｏｎ」は、測定結果を含む測定報告（Ｍｅａｓｕｒｅｍｅｎｔ  Ｒｅｐｏｒｔ）に位置情報を含めることを要求する情報（ｉｎｃｌｕｄｅＬｏｃａｔｉｏｎＩｎｆｏ）を含む。「Ｍｅａｓｕｒｅｍｅｎｔ  Ｃｏｎｆｉｇｕｒａｔｉｏｎ」は、位置情報として詳細位置情報（ＧＮＳＳ位置情報）を含めることを要求する情報（ｏｂｔａｉｎＬｏｃａｔｉｏｎ）を含んでもよい。
【００４８】
ステップＳ１０２において、ｅＮＢ２００は、ＵＥ１００との無線通信におけるＱｏＳパラメータの測定（ＱｏＳ測定）を行う。ＱｏＳパラメータは、「Ｄａｔａ  Ｌｏｓｓ」（データロス）、「Ｓｃｈｅｄｕｌｅｄ  ＩＰ  Ｔｈｒｏｕｇｈｐｕｔ」（スループット）、「Ｄａｔａ  Ｖｏｌｕｍｅ」（データ量）、「Ｐａｃｋｅｔ  Ｄｅｌａｙ」（パケット遅延）のうち少なくとも１つである。「Ｐａｃｋｅｔ  Ｄｅｌａｙ」（パケット遅延）は、レイテンシに相当する。ＱｏＳパラメータは、上りリンクと下りリンクとで別々に測定されてもよい。また、ＱｏＳパラメータは、ＵＥ１００ごと、ベアラ（ＲＡＢ：Ｒａｄｉｏ  Ａｃｃｅｓｓ  Ｂｅａｒｅ）ごと、又はＱＣＩ（ＱｏＳ  Ｃｌａｓｓ  Ｉｄｅｎｔｉｆｉｅｒ）ごとに測定されてもよい。
【００４９】
一方、ステップＳ１０３において、ＵＥ１００は、「Ｍｅａｓｕｒｅｍｅｎｔ  Ｃｏｎｆｉｇｕｒａｔｉｏｎ」に基づいて、ＲＳＲＰ（Ｒｅｆｅｒｅｎｃｅ  Ｓｉｇｎａｌ  Ｒｅｃｅｉｖｅｄ  Ｐｏｗｅｒ）及び／又はＲＳＲＱ（Ｒｅｆｅｒｅｎｃｅ  Ｓｉｇｎａｌ  Ｒｅｃｅｉｖｅｄ  Ｑｕａｌｉｔｙ）の測定（ＲＳＲＰ／ＲＳＲＱ測定）を行う。また、ＵＥ１００は、自身の地理的位置を示す位置情報（Ｌｏｃａｔｉｏｎ  Ｉｎｆｏｒｍａｔｉｏｎ）を取得する。
【００５０】
ステップＳ１０４において、ＵＥ１００は、ＱｏＳ測定を行ってもよい。具体的には、「Ｐａｃｋｅｔ  Ｄｅｌａｙ」は、一例として、ｅＮＢ２００が下りリンクについて測定し、上りリンクの「Ｐａｃｋｅｔ  Ｄｅｌａｙ」についてはＵＥ１００が測定する。なお、ｅＮＢ２００が上りリンクの「Ｐａｃｋｅｔ  Ｄｅｌａｙ」について測定し、下りリンクの「Ｐａｃｋｅｔ  Ｄｅｌａｙ」をＵＥ１００が測定することとしてもよい。また、ステップＳ１０４は省略してもよい。
【００５１】
ステップＳ１０５において、ＵＥ１００は、「Ｍｅａｓｕｒｅｍｅｎｔ  Ｃｏｎｆｉｇｕｒａｔｉｏｎ」に基づいて、「Ｍｅａｓｕｒｅｍｅｎｔ  Ｒｅｐｏｒｔ」をｅＮＢ２００に送信する。「Ｍｅａｓｕｒｅｍｅｎｔ  Ｒｅｐｏｒｔ」は、ＲＳＲＰ／ＲＳＲＱ測定結果だけではなく、位置情報を含む。「Ｍｅａｓｕｒｅｍｅｎｔ  Ｒｅｐｏｒｔ」は、Ｓ１０４においてＱｏＳ測定した結果であるＱｏＳ測定報告を含んでもよい。
【００５２】
ｅＮＢ２００は、ステップＳ１０２により得られたＱｏＳ測定結果に、「Ｍｅａｓｕｒｅｍｅｎｔ  Ｒｅｐｏｒｔ」に含まれる位置情報を付加することにより、「ＭＤＴ  ｒｅｓｕｌｔ」を作成する。「ＭＤＴ  ｒｅｓｕｌｔ」は、ステップＳ１０４により得られたＱｏＳ測定結果を含んでもよい。「ＭＤＴ  ｒｅｓｕｌｔ」は、ステップＳ１０３により得られたＲＳＲＰ／ＲＳＲＱ測定結果を含んでもよい。
【００５３】
ステップＳ１０６において、ｅＮＢ２００は、ＱｏＳ測定報告を含む「ＭＤＴ  ｒｅｓｕｌｔ」をコアネットワーク側（ＯＡＭ４００）に送信する。ＯＡＭ４００は、「ＭＤＴ  ｒｅｓｕｌｔ」をネットワーク最適化に使用する。或いは、ｅＮＢ２００は、「ＭＤＴ  ｒｅｓｕｌｔ」をＯＡＭ４００に送信せずに、自ｅＮＢ２００（又は自セル）の最適化に「ＭＤＴ  ｒｅｓｕｌｔ」を使用してもよい。
【００５４】
なお、ここではＱｏＳ測定が主としてｅＮＢ２００により行われる場合について説明したが、ＱｏＳ測定が主としてＵＥ１００により行われてもよい。
【００５５】
また、ここではＱｏＳ測定が「Ｉｍｍｅｄｉａｔｅ  ＭＤＴ」により行われる場合について説明したが、ＱｏＳ測定が「Ｌｏｇｇｅｄ  ＭＤＴ」により行われてもよい。「Ｌｏｇｇｅｄ  ＭＤＴ」の場合、ＵＥ１００は、測定結果を直ちにネットワークに報告するのではなくログとして保持し、所定のトリガで当該ログをネットワークに送信する。ログは、測定結果、位置情報、及びタイムスタンプを含む。
【００５６】
（２）レイテンシ低減機能の概要
レイテンシ低減機能を実現するための技術として、高速上りリンクアクセス技術及びＴＴＩ短縮技術等が挙げられる。
【００５７】
高速上りリンクアクセス技術は、ＵＥ１００に対する上りリンクリソース割当を高度化することにより、レイテンシを低減する技術である。具体的には、ＵＥ１００において上りリンクデータが発生してから当該上りリンクデータをｅＮＢ２００に送信するまでに要する時間を短縮可能とする。
【００５８】
ＴＴＩ短縮技術は、ＴＴＩを短縮することにより、レイテンシを低減する技術である。例えば、サブフレーム単位ではなくスロット単位で無線リソースを割り当てるといった手法が想定されている。
【００５９】
なお、一例として、３ＧＰＰリリース１２以前のＵＥ１００（又は能力の低いＵＥ１００）には、レイテンシ低減機能が適用されない。換言すると、３ＧＰＰリリース１２以前のＵＥ１００（又は能力の低いＵＥ１００）は、レイテンシ低減機能をサポートしない。
【００６０】
このため、ｅＮＢ２００は、ＵＥ１００の能力情報（ＵＥ  Ｃａｐａｂｉｌｉｔｙ）に基づいて、ＵＥ１００がレイテンシ低減機能をサポートしているか否かを判断する。ｅＮＢ２００は、レイテンシ低減機能をサポートしているＵＥ１００との無線通信にレイテンシ低減機能を適用する。なお、ＵＥ１００がレイテンシ低減機能をサポートしているか否かの情報が能力情報（ＵＥ  Ｃａｐａｂｉｌｉｔｙ）に含まれる場合、ｅＮＢ２００は、当該情報に基づいて、ＵＥ１００がレイテンシ低減機能をサポートしているか否かを判断してもよい。ＵＥ１００が対応しているリリース情報が能力情報（ＵＥ  Ｃａｐａｂｉｌｉｔｙ）に含まれる場合、ｅＮＢ２００は、当該リリース情報（レイテンシ低減機能を採用している３ＧＰＰのリリースに対応しているか否か）に基づいて、ＵＥ１００がレイテンシ低減機能をサポートしているか否かを判断してもよい。
【００６１】
レイテンシ低減機能を適用する場合、ｅＮＢ２００は、レイテンシ低減機能に関する設定情報（Ｃｏｎｆｉｇｕｒａｔｉｏｎ）をＵＥ１００に送信してもよい。この場合、ＵＥ１００は、ｅＮＢ２００との無線通信にレイテンシ低減機能が適用されることを認識する。
【００６２】
なお、レイテンシ低減機能は、ＵＥ１００単位で適用してもよいし、ベアラ単位で適用してもよい。
【００６３】
（３）第１実施形態に係る動作
第１実施形態に係る通信装置は、ＭＤＴ機能が適用される移動通信システムにおいて他の通信装置との無線通信を行う。通信装置は、無線通信におけるパラメータの測定により得られるＭＤＴ測定結果を取得する制御部を備える。当該パラメータは、レイテンシ低減機能の影響を受けるパラメータである。制御部は、当該無線通信にレイテンシ低減機能が適用されているか否かに応じて、レイテンシ低減機能の適用有無に関する識別情報をＭＤＴ測定結果に付加する。第１実施形態において、ＭＤＴ測定パラメータは、ＱｏＳパラメータであり、ＭＤＴ測定結果は、ＱｏＳ測定結果である。ＱｏＳパラメータは、レイテンシを含む。
【００６４】
例えば、第１実施形態に係る通信装置（すなわち、ＭＤＴ測定結果に識別情報を付加する主体）がｅＮＢ２００であり、他の通信装置がＵＥ１００である。或いは、第１実施形態に係る通信装置（すなわち、ＭＤＴ測定結果に識別情報を付加する主体）がＵＥ１００であり、他の通信装置がｅＮＢ２００であってもよい。
【００６５】
図７は、第１実施形態に係る動作の一例を示すフロー図である。ここでは、第１実施形態に係る通信装置がｅＮＢ２００であり、他の通信装置がＵＥ１００である場合を想定する。
【００６６】
図７に示すように、ステップＳ１１において、ｅＮＢ２００は、ＵＥ１００との無線通信にレイテンシ低減機能が適用されているか否かを判断する。
【００６７】
ＵＥ１００との無線通信にレイテンシ低減機能が適用されていない場合（ステップＳ１１：ＮＯ）、ステップＳ１２において、ｅＮＢ２００は、レイテンシ低減機能の適用を示すフラグ（識別情報）をＱｏＳ測定結果に付加しない。或いは、ｅＮＢ２００は、レイテンシ低減機能が適用されていないことを示すフラグ（識別情報）をＱｏＳ測定結果に付加してもよい。
【００６８】
一方、ＵＥ１００との無線通信にレイテンシ低減機能が適用されている場合（ステップＳ１１：ＹＥＳ）、ステップＳ１３において、ｅＮＢ２００は、レイテンシ低減機能の適用を示すフラグ（識別情報）をＱｏＳ測定結果に付加する。例えば、ｅＮＢ２００は、図６のステップＳ１０２において取得したＱｏＳ測定結果に当該フラグを付加し、当該フラグを含む「ＭＤＴ  ｒｅｓｕｌｔ」（ＱｏＳ測定結果）をＯＡＭ４００に送信する（ステップＳ１０６）。或いは、ｅＮＢ２００は、図６のステップＳ１０５においてＵＥ１００から取得したＱｏＳ測定結果に当該フラグを付加し、当該フラグを含む「ＭＤＴ  ｒｅｓｕｌｔ」（ＱｏＳ測定結果）をＯＡＭ４００に送信してもよい（ステップＳ１０６）。
【００６９】
或いは、第１実施形態に係る通信装置がＵＥ１００であり、他の通信装置がｅＮＢ２００である場合、図７に示すフローはＵＥ１００により実行される。
【００７０】
例えば、ＵＥ１００は、ｅＮＢ２００との無線通信にレイテンシ低減機能が適用されている場合、図６のステップＳ１０４において取得したＱｏＳ測定結果に、レイテンシ低減機能の適用を示すフラグ（識別情報）を付加する。そして、当該フラグが付加されたＱｏＳ測定結果を含む「Ｍｅａｓｕｒｅｍｅｎｔ  Ｒｅｐｏｒｔ」をｅＮＢ２００に送信する（ステップＳ１０５）。なお、取得したＱｏＳ測定結果ごとにフラグを付加してもよいし、複数のＱｏＳ測定結果（１つの「Ｍｅａｓｕｒｅｍｅｎｔ  Ｒｅｐｏｒｔ」）に１つのフラグを付加してもよい。その場合には、ｅＮＢ２００は、ＵＥ１００から取得したＱｏＳ測定結果に新たにフラグを付加せずに、当該ＱｏＳ測定結果を含む「ＭＤＴ  ｒｅｓｕｌｔ」を送信してもよい。なお、ここではＱｏＳ測定が「Ｉｍｍｅｄｉａｔｅ  ＭＤＴ」により行われる場合を主として想定しているが、ＱｏＳ測定が「Ｌｏｇｇｅｄ  ＭＤＴ」により行われてもよい。この場合、ＱｏＳ測定結果を含むログごとにフラグを付加してもよいし、複数のログに１つのフラグを付加してもよい。
【００７１】
（４）第１実施形態のまとめ
第１実施形態によれば、レイテンシ低減機能が適用されたＵＥ１００又は無線通信（ベアラ）のＭＤＴ測定結果とレイテンシ低減機能が適用されないＵＥ１００又は無線通信（ベアラ）のＭＤＴ測定結果とを区別することができるため、誤ったネットワーク最適化を防止することができる。
【００７２】
例えば、ネットワーク最適化の観点からは、ワーストケースにおけるＭＤＴ測定結果が有益である。このため、レイテンシ低減機能が適用されないＵＥ１００又は無線通信（ベアラ）のＭＤＴ測定結果のみに基づいてネットワーク最適化を行ってもよい。
【００７３】
［第１実施形態の変更例］
レイテンシ低減機能の適用有無に関する識別情報は、レイテンシ低減機能の種別を示す情報（例えば、高速上りリンクアクセス技術／ＴＴＩ短縮技術）を含んでもよい。これにより、どのようなレイテンシ低減機能が適用されたのかをｅＮＢ２００又はＯＡＭ４００等が把握可能とすることができる。
【００７４】
また、レイテンシ低減機能の適用有無に関する識別情報は、レイテンシ低減機能が適用されたベアラを示す情報（例えば、ＧＢＲベアラ／Ｎｏｎ−ＧＢＲベアラ）を含んでもよい。これにより、どのようなベアラにレイテンシ低減機能が適用されたのかが把握可能とすることができる。
【００７５】
［第２実施形態］
以下において、第２実施形態について、第１実施形態との相違点を主として説明する。
【００７６】
第２実施形態に係る通信装置は、ＭＤＴ機能が適用される移動通信システムにおいて他の通信装置との無線通信を行う。通信装置は、無線通信にレイテンシ低減機能が適用されているか否かに応じて、当該無線通信におけるパラメータの測定により得られるＭＤＴ測定結果を取得するための処理を行うか否かを判断する制御部を備える。当該パラメータは、レイテンシ低減機能の影響を受けるパラメータである。
【００７７】
図８は、第２実施形態に係る動作の一例を示すフロー図である。ここでは、第２実施形態に係る通信装置（すなわち、ＭＤＴ測定結果を取得するための処理を行うか否かを判断する主体）がｅＮＢ２００であり、他の通信装置がＵＥ１００である場合を想定する。
【００７８】
図８に示すように、ステップＳ２１において、ｅＮＢ２００は、ＵＥ１００との無線通信にレイテンシ低減機能が適用されているか否かを判断する。
【００７９】
ＵＥ１００との無線通信にレイテンシ低減機能が適用されていない場合（ステップＳ２１：ＮＯ）、ステップＳ２２において、ｅＮＢ２００は、ＱｏＳ測定を行うと判断する。この場合、図６のシーケンスに従った動作（ステップＳ１０２を含む処理）が行われる。
【００８０】
一方、ＵＥ１００との無線通信にレイテンシ低減機能が適用されている場合（ステップＳ２１：ＹＥＳ）、ステップＳ２３において、ｅＮＢ２００は、ＱｏＳ測定を行わないと判断する。この場合、ｅＮＢ２００は、ＵＥ１００についてＭＤＴ機能を適用しない、又は図６のステップＳ１０２の処理を行わない。或いは、ｅＮＢ２００は、図６のステップＳ１０２の処理を行った後、ＱｏＳ測定結果を破棄してもよい。
【００８１】
なお、図８に示すフローは、ＵＥ１００単位で実行してもよいし、ベアラ単位で実行してもよい。
【００８２】
或いは、第２実施形態に係る通信装置（すなわち、ＭＤＴ測定結果を取得するための処理を行うか否かを判断する主体）がＵＥ１００であり、他の通信装置がｅＮＢ２００である場合、図８に示すフローはＵＥ１００により実行される。
【００８３】
例えば、ＵＥ１００は、ｅＮＢ２００との無線通信にレイテンシ低減機能が適用されている場合、図６のステップＳ１０４のＱｏＳ測定を行わない。或いは、ＵＥ１００は、図６のステップＳ１０４の処理を行った後、ＱｏＳ測定結果をｅＮＢ２００に報告することなく破棄してもよい。
【００８４】
第２実施形態によれば、第１実施形態と同様に、誤ったネットワーク最適化を防止することができる。
【００８５】
［第２実施形態の変更例］
上述した第２実施形態において、通信装置は、無線通信にレイテンシ低減機能が適用されている場合において、ＭＤＴ測定結果を取得するための処理を行わないと判断していた。
【００８６】
しかしながら、レイテンシ低減機能が適用された場合のＭＤＴ測定結果を把握する必要性も考えられる。このため、例えばある一定の期間において図８の「ＹＥＳ」及び「ＮＯ」を入れ替えることにより、レイテンシ低減機能が適用された場合のＭＤＴ測定結果を収集してもよい。なお、レイテンシ低減機能が適用されている場合であっても、レイテンシ低減機能の影響を受けないパラメータの測定を行い、当該測定結果をＭＤＴ測定結果としてｅＮＢ２００若しくはＯＡＭ４００へ報告してもよい。また、当該レイテンシ低減機能の影響を受けないパラメータの測定結果は、レイテンシ低減機能に関する識別情報を付加しなくてもよい。
【００８７】
［その他の実施形態］
なお、第１実施形態及び第２実施形態は、ＭＤＴ機能を前提として説明したが、これに限られず、ＭＤＴ機能以外の測定を前提としたものであってもよい。
【００８８】
上述した第１実施形態及び第２実施形態は、別個独立して実施してもよいし、相互に組み合わせて実施してもよい。例えば、一の実施形態の一部の構成を他の実施形態の構成に追加してもよいし、一の実施形態の一部の構成を他の実施形態の一部の構成と置換してもよい。
【００８９】
上述した第１実施形態及び第２実施形態において、移動通信システムとしてＬＴＥシステムを例示した。しかしながら、本発明はＬＴＥシステムに限定されない。ＬＴＥシステム以外のシステムに本発明を適用してもよい。
【００９０】
［相互参照］
米国仮出願第６２/１４８９５３号（２０１５年４月１７日出願）の全内容が参照により本願明細書に組み込まれている。
【図１】
2016167211.tif 000003
【図２】
2016167211.tif 000004
【図３】
2016167211.tif 000005
【図４】
2016167211.tif 000006
【図５】
2016167211.tif 000007
【図６】
2016167211.tif 000008
【図７】
2016167211.tif 000009
【図８】
2016167211.tif 000010
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ＭＤＴ機能が適用される移動通信システムにおいて他の通信装置との無線通信を行う制御部を備え、
前記制御部は、前記無線通信におけるパラメータの測定により得られるＭＤＴ測定結果を取得し、
前記パラメータは、レイテンシ低減機能の影響を受けるパラメータであり、
前記制御部は、前記無線通信に前記レイテンシ低減機能が適用されているか否かに応じて、前記レイテンシ低減機能の適用有無に関する識別情報を前記ＭＤＴ測定結果に付加することを特徴とする通信装置。
【請求項２】
前記パラメータは、前記無線通信におけるＱｏＳパラメータであり、
前記ＭＤＴ測定結果は、ＱｏＳ測定結果であることを特徴とする請求項１に記載の通信装置。
【請求項３】
前記ＱｏＳパラメータは、レイテンシを含むことを特徴とする請求項２に記載の通信装置。
【請求項４】
前記他の通信装置は、ユーザ端末であり、
前記通信装置は、基地局であり、
前記ＭＤＴ測定結果は、前記基地局が前記測定を行うことにより得られ、
前記制御部は、前記識別情報が付加された前記ＭＤＴ測定結果をコアネットワークに送信することを特徴とする請求項１に記載の通信装置。
【請求項５】
前記他の通信装置は、基地局であり、
前記通信装置は、ユーザ端末であり、
前記ＭＤＴ測定結果は、前記ユーザ端末が前記測定を行うことにより得られ、
前記制御部は、前記識別情報が付加された前記ＭＤＴ測定結果を前記基地局に送信することを特徴とする請求項１に記載の通信装置。
【国際調査報告】
2016167211.tif 000011
2016167211.tif 000012
2016167211.tif 000013
2016167211.tif 000014
2016167211.tif 000015
2016167211.tif 000016